(57)【要約】【課題】運用系の電源の停電時に、運用系の電源の電圧の低下に起因した瞬断を発生させることなく予備系の電源への切り替えを行うこと。【解決手段】電源制御装置は、判定部と、切替部とを有する。判定部は、運用系の電源の電圧に応じて変動する第１の電圧と、電圧に応じて第１の電圧の変動速度よりも遅い変動速度で変動する第２の電圧とを比較することによって、第１の電圧が第２の電圧よりも低下する第１のタイミングを判定する。切替部は、判定部によって判定された第１のタイミングで運用系の電源を予備系の電源に切り替える。【選択図】図１
2015220918.tif 000002
【特許請求の範囲】
【請求項１】
運用系の電源の電圧に応じて変動する第１の電圧と、前記電圧に応じて前記第１の電圧の変動速度よりも遅い変動速度で変動する第２の電圧とを比較することによって、前記第１の電圧が前記第２の電圧よりも低下する第１のタイミングを判定する判定部と、
前記判定部によって判定された前記第１のタイミングで前記運用系の電源を予備系の電源に切り替える切替部と
を備えたことを特徴とする電源制御装置。
【請求項２】
前記第２の電圧は、前記運用系の電源の電圧が供給されなくなった場合に、前記予備系の電源の電圧から得られる所定の電圧に収束され、
前記判定部は、前記切替部によって前記運用系の電源が前記予備系の電源に切り替えられた後、前記所定の電圧に収束された前記第２の電圧よりも前記第１の電圧が上昇する第２のタイミングを判定し、
前記切替部は、前記判定部によって判定された前記第２のタイミングで前記予備系の電源を前記運用系の電源に切り替える
ことを特徴とする請求項１に記載の電源制御装置。
【請求項３】
前記判定部は、
前記運用系の電源の電圧を分圧することによって、前記第１の電圧を生成する第１の分圧回路と、
前記運用系の電源の電圧を分圧することによって、前記第１の電圧よりも低い電圧を生成する第２の分圧回路と、
前記第１の電圧よりも低い電圧に応じた電荷を蓄えることによって、前記第２の電圧を生成するキャパシタと、
前記第１の分圧回路により生成された前記第１の電圧と、前記キャパシタにより生成された前記第２の電圧とを比較し、前記第１の電圧が前記第２の電圧よりも高い場合に、第１の信号を出力し、前記第１の電圧が前記第２の電圧よりも低い場合に、前記第１の信号とは電圧が異なる信号であって、前記第１のタイミングを示す第２の信号を出力する比較器と
を備えたことを特徴とする請求項１又は２に記載の電源制御装置。
【請求項４】
前記判定部は、前記キャパシタに接続されるダイオードであって、前記運用系の電源の電圧が供給されなくなった場合に、前記予備系の電源の電圧から得られる所定の電圧に向けて前記第２の電圧を収束させるダイオードをさらに備え、
前記比較器は、前記ダイオードによって前記所定の電圧に収束された前記第２の電圧よりも前記第１の電圧が高い場合に、前記第２のタイミングを示す前記第１の信号を出力する
ことを特徴とする請求項３に記載の電源制御装置。
【請求項５】
複数の前記運用系の電源と、１つの前記予備系の電源と、複数の前記電源制御装置とが存在し、
複数の前記電源制御装置の各々は、複数の前記運用系の電源の各々に対応付けて接続されるとともに、１つの前記予備系の電源に接続され、
複数の前記電源制御装置のうち任意の電源制御装置に備えられた前記切替部は、前記判定部によって判定された前記第１のタイミングで複数の前記運用系の電源のうち当該任意の電源制御装置に対応づけられた前記運用系の電源を前記予備系の電源に切り替え、さらに、前記予備系への切り換えが行われた旨を示す信号を当該任意の電源制御装置以外の他の電源制御装置へ出力し、
前記他の電源制御装置に備えられた前記切替部は、前記任意の電源制御装置から前記信号が入力される場合には、前記判定部によって前記第１のタイミングが判定された場合であっても、当該他の電源制御装置に対応づけられた前記運用系の電源から前記予備系の電源への切り換えを中止する
ことを特徴とする請求項１〜４のいずれか一つに記載の電源制御装置。
【請求項６】
運用系の電源の電圧に応じて変動する第１の電圧と、前記電圧に応じて前記第１の電圧の変動速度よりも遅い変動速度で変動する第２の電圧とを比較することによって、前記第１の電圧が前記第２の電圧よりも低下する第１のタイミングを判定する判定部と、
前記判定部によって判定された前記第１のタイミングで前記運用系の電源を予備系の電源に切り替える切替部と
を備えた電源制御装置を有する基地局装置。
【発明の詳細な説明】
【技術分野】
【０００１】
本発明は、電源制御装置及び基地局装置に関する。
【背景技術】
【０００２】
従来、基地局装置等の外部装置に動作電力を供給するための電源を制御する電源制御装置がある。電源制御装置では、運用系の電源の停電時に、予備系の電源への切り替えを行う。このような電源切替方式として、例えば、所定の閾値を用いた電源切替方式が知られている。
【０００３】
所定の閾値を用いた電源切替方式では、運用系の電源の電圧を監視し、運用系の電源の電圧が所定の閾値よりも低下するタイミングで運用系の電源を予備系の電源に切り替える。所定の閾値は、運用系の電源の電圧を用いる機器が正常に動作するように、一定値として予め規定される。
【先行技術文献】
【特許文献】
【０００４】
【特許文献１】特開平９−２４３６７６号公報
【発明の概要】
【発明が解決しようとする課題】
【０００５】
しかしながら、上述した従来の技術では、運用系の電源の停電時に、運用系の電源の電圧の低下に起因した瞬断を発生させることなく予備系の電源への切り替えを行うことが困難であるという問題がある。
【０００６】
すなわち、上述した従来の技術では、運用系の電源の停電時に、運用系の電源の電圧が所定の閾値よりも低下すると、運用系の電源の電圧と、予備系の電源の電圧との差が増大した状態で、予備系の電源への切り替えが行われる。運用系の電源の電圧と、予備系の電源の電圧との差が増大した状態で、予備系の電源への切り替えが行われると、運用系の電源の電圧と、予備系の電源の電圧との差に伴って、予備系の電源から外部装置へ向けて流れる突入電流が発生する。このため、予備系の電源からの電力の供給が突入電流によって妨害され、結果として、システム全体の瞬断が発生する恐れがある。
【０００７】
開示の技術は、上記に鑑みてなされたものであって、運用系の電源の停電時に、運用系の電源の電圧の低下に起因した瞬断を発生させることなく予備系の電源への切り替えを行うことができる電源制御装置及び基地局装置を提供することを目的とする。
【課題を解決するための手段】
【０００８】
本願の開示する電源制御装置は、一つの態様において、判定部と、切替部とを有する。判定部は、運用系の電源の電圧に応じて変動する第１の電圧と、前記電圧に応じて前記第１の電圧の変動速度よりも遅い変動速度で変動する第２の電圧とを比較することによって、前記第１の電圧が前記第２の電圧よりも低下する第１のタイミングを判定する。切替部は、前記判定部によって判定された前記第１のタイミングで前記運用系の電源を予備系の電源に切り替える。
【発明の効果】
【０００９】
本願の開示する電源制御装置の一つの態様によれば、運用系の電源の停電時に、運用系の電源の電圧の低下に起因した瞬断を発生させることなく予備系の電源への切り替えを行うことができるという効果を奏する。
【図面の簡単な説明】
【００１０】
【図１】図１は、本実施例に係る電源制御装置を含む電源制御システムの構成例を示す図である。
【図２】図２は、実施例１における判定部及びＳＷ部の詳細構成の一例を示す図である。
【図３】図３は、運用電源の停電時における電源制御装置の各部の電圧値を示すタイムチャートである。
【図４】図４は、運用電源の復旧時における電源制御装置の各部の電圧値を示すタイムチャートである。
【図５】図５は、図３に示した各時点における電源制御装置の各部の電圧値及びトランジスタの状態を説明するための図である。
【図６】図６は、電源制御システムの変形例を示す図である。
【発明を実施するための形態】
【００１１】
以下に、本願の開示する電源制御装置及び基地局装置の実施例を図面に基づいて詳細に説明する。なお、この実施例により開示技術が限定されるものではない。
【実施例】
【００１２】
まず、図１を用いて、本実施例に係る電源制御装置を含む電源制御システムの構成例を説明する。図１は、本実施例に係る電源制御装置を含む電源制御システムの構成例を示す図である。
【００１３】
図１に示すように、本実施例に係る電源制御システム１は、運用電源１０−１〜１０−ｎと、運用電源１０−１〜１０−ｎをバックアップする予備電源１１とに接続される。また、電源制御システム１は、運用電源１０−１〜１０−ｎ又は予備電源１１からの動作電力が供給される基地局装置２０−１〜２０−ｎに接続される。電源制御システム１は、電源制御装置１００−１〜１００−ｎを含む。電源制御装置１００−１〜１００−ｎの各々は、運用電源１０−１〜１０−ｎの各々に対応付けて接続されるとともに、１つの予備電源１１に接続される。なお、以下では、運用電源１０−１〜１０−ｎを特に区別しない場合には、これらを「運用電源１０」と表記する。また、以下では、電源制御装置１００−１〜１００−ｎを特に区別しない場合には、これらを「電源制御装置１００」と表記する。また、以下では、基地局装置２０−１〜２０−ｎを特に区別しない場合には、これらを「基地局装置２０」と表記する。
【００１４】
電源制御装置１００は、判定部１１０と、スイッチ（ＳＷ：Switch）部１２０とを有する。判定部１１０は、運用電源１０の電圧に応じて変動する第１の電圧と、運用電源１０の電圧に応じて第１の電圧よりも遅い変動速度で変動する第２の電圧とを比較することによって、第１の電圧が第２の電圧よりも低下する第１のタイミングを判定する。ここで、第２の電圧は、運用電源１０の電圧が供給されなくなった場合に、予備電源１１の電圧から得られる所定の電圧に収束される。このため、運用電源１０の電圧が供給されなくなった場合に、第１の電圧が０Ｖに向けて低下する場合であっても、第２の電圧は、０Ｖにはならない。ＳＷ部１２０は、判定部１１０によって判定された第１のタイミングで運用電源１０を予備電源１１に切り替える。これにより、ＳＷ部１２０を介して予備電源１１から基地局装置２０へ動作電力が供給される。
【００１５】
また、判定部１１０は、ＳＷ部１２０によって運用電源１０が予備電源１１に切り替えられた後、所定の電圧に収束された第２の電圧よりも第１の電圧が上昇する第２のタイミングを判定する。そして、ＳＷ部１２０は、判定部１１０によって判定された第２のタイミングで予備電源１１を運用電源１０に切り替える。これにより、ＳＷ部１２０を介して運用電源１０から基地局装置２０へ動作電力が供給される。
【００１６】
このように、本実施例の電源制御装置１００は、運用電源１０の電圧に応じて変動する第１の電圧と、運用電源１０の電圧に応じて第１の電圧よりも遅い変動速度で変動する第２の電圧とを比較する。そして、電源制御装置１００は、第１の電圧が第２の電圧よりも低下する第１のタイミングで運用電源１０を予備電源１１に切り替える。
【００１７】
このため、本実施例によれば、運用電源１０の停電時に、運用電源１０の電圧と、予備電源１１の電圧との差を抑制した状態で、運用電源１０から予備電源１１への切り替えを行うことができる。したがって、運用電源１０の電圧と、予備電源１１の電圧との差に起因して発生する、予備電源１１から基地局装置２０へ向かう突入電流を抑制可能である。結果として、本実施例によれば、運用電源１０の停電時に、運用電源１０の電圧の低下に起因した瞬断を発生させることなく予備電源１１への切り替えを行うことができる。
【００１８】
また、本実施例の電源制御装置１００は、運用電源１０が予備電源１１へ切り替えられた後、所定の電圧に収束された第２の電圧よりも第１の電圧が上昇する第２のタイミングで予備電源１１を運用電源１０へ切り替える。
【００１９】
このため、本実施例によれば、運用電源１０の復旧に伴って運用電源１０の電圧が上昇する場合に、予備電源１１から運用電源１０への切り換えを適切に行うことができる。
【００２０】
次に、図２を用いて、図１に示した判定部１１０及びＳＷ部１２０の詳細構成の一例を説明する。図２は、実施例１における判定部及びＳＷ部の詳細構成の一例を示す図である。図２の例では、電源制御装置１００−１の詳細構成について説明を行い、電源制御装置１００−２〜１００−ｎの詳細構成についての説明は省略する。また、図２の例では、運用電源１０は、停電していないものとする。また、図２の例では、電圧は、接地電圧ＣＧ＝０Ｖに近いほど、低くなるものとする。
【００２１】
図２に示すように、判定部１１０は、第１の分圧回路１１１と、第２の分圧回路１１２と、キャパシタＣ１と、比較器ＩＣ１と、ダイオードＤ３とを有する。
【００２２】
第１の分圧回路１１１は、運用電源１０−１の電圧Ｖ１を分圧することによって、運用電源１０−１の電圧Ｖ１に応じて変動する第１の電圧Ｖｉｎ１を生成する。具体的には、第１の分圧回路１１１は、運用電源１０−１に直列に接続された抵抗群を含み、運用電源１０−１に直列に接続された抵抗群を用いて運用電源１０−１の電圧Ｖ１を分圧することによって、第１の電圧Ｖｉｎ１を生成する。例えば、図２において、運用電源１０−１の電圧Ｖ１が−４８Ｖであり、運用電源１０−１に直列に接続された抵抗Ｒ１，Ｒ２がそれぞれ１０ｋΩ，１０ｋΩである場合を想定する。この場合、第１の分圧回路１１１は、−４８×１０／（１０＋１０）を用いて運用電源１０−１の電圧Ｖ１を分圧することによって、第１の電圧Ｖｉｎ１＝−２４Ｖを生成する。第１の分圧回路１１１によって生成される第１の電圧Ｖｉｎ１は、比較器ＩＣ１へ印加される。
【００２３】
第２の分圧回路１１２は、運用電源１０−１を分圧することによって、第１の電圧Ｖｉｎ１よりも低い電圧Ｖｉｎ２´を生成する。具体的には、第２の分圧回路１１２は、運用電源１０−１に直列に接続された抵抗群を含み、運用電源１０−１に直列に接続された抵抗群を用いて運用電源１０−１の電圧Ｖ１を分圧することによって、電圧Ｖｉｎ２´を生成する。例えば、図２において、運用電源１０−１の電圧Ｖ１が−４８Ｖであり、運用電源１０−１に直列に接続された抵抗Ｒ３，Ｒ４がそれぞれ１２０ｋΩ，１００ｋΩである場合を想定する。この場合、第２の分圧回路１１２は、−４８×１００／（１００＋１２０）を用いて運用電源１０−１の電圧Ｖ１を分圧することによって、第１の電圧Ｖｉｎ１よりも低い電圧Ｖｉｎ２´＝−２２Ｖを生成する。
【００２４】
キャパシタＣ１は、第１の電圧Ｖｉｎ１よりも低い電圧Ｖｉｎ２´に応じた電荷を蓄えることによって、運用電源１０−１の電圧Ｖ１に応じて第１の電圧Ｖｉｎ１よりも遅い変動速度で変動する第２の電圧Ｖｉｎ２を生成する。具体的には、キャパシタＣ１は、第２の分圧回路１１２に並列に接続され、第２の分圧回路１１２によって生成される電圧Ｖｉｎ２´に応じた電荷を蓄えることによって、第２の電圧Ｖｉｎ２を生成する。図２に示す例では、第２の分圧回路１１２によって生成される電圧Ｖｉｎ２´が−２２Ｖである。この場合、キャパシタＣ１は、電圧Ｖｉｎ２´に応じた電荷を蓄えることによって、第２の電圧Ｖｉｎ２＝−２２Ｖを生成する。第２の電圧Ｖｉｎ２の変動速度は、第１の分圧回路１１１によって生成される第１の電圧Ｖｉｎ１の変動速度よりも遅い。ここで、変動速度とは、単位時間当たりの電圧の変動量を指す。キャパシタＣ１によって生成される第２の電圧Ｖｉｎ２は、比較器ＩＣ１へ印加される。
【００２５】
比較器ＩＣ１は、第１の分圧回路１１１により生成された第１の電圧Ｖｉｎ１と、キャパシタＣ１により生成された第２の電圧Ｖｉｎ２とを比較する。そして、比較器ＩＣ１は、第１の電圧Ｖｉｎ１が第２の電圧Ｖｉｎ２よりも低い場合に、第１の信号を出力する。一方、比較器ＩＣ１は、第１の電圧Ｖｉｎ１が第２の電圧Ｖｉｎ２よりも高い場合に、第１の信号とは電圧が異なる第２の信号を出力する。第２の信号は、第１の電圧Ｖｉｎ１が第２の電圧Ｖｉｎ２よりも低下する第１のタイミングを示す信号である。
【００２６】
図２に示す例では、第１の分圧回路１１１によって生成された第１の電圧Ｖｉｎ１が−２４Ｖであり、キャパシタＣ１によって生成された第２の電圧Ｖｉｎ２が−２２Ｖである。この場合、比較器ＩＣ１は、第１の電圧Ｖｉｎ１が第２の電圧Ｖｉｎ２よりも高いので、運用電源１０−１の電圧Ｖ１を有する信号を第１の信号として出力する。すなわち、第１の電圧Ｖｉｎ１が第２の電圧Ｖｉｎ２よりも高い場合には、比較器ＩＣ１の出力端の電圧Ｖｏｕｔ１は、運用電源１０−１の電圧Ｖ１となる。一方、比較器ＩＣ１は、運用電源１０−１の停電に伴って第１の電圧Ｖｉｎ１が第２の電圧Ｖｉｎ２よりも低下すると、接地電圧ＣＧを有する信号を第２の信号として出力する。すなわち、第１の電圧Ｖｉｎ１が第２の電圧Ｖｉｎ２よりも低下する場合には、比較器ＩＣ１の出力端の電圧Ｖｏｕｔ１は、接地電圧ＣＧとなる。
【００２７】
また、比較器ＩＣ１は、ダイオードＤ３によって所定の電圧に収束された第２の電圧Ｖｉｎ２よりも第１の電圧Ｖｉｎ１が高い場合に、第１の信号を再び出力する。この場合、第１の信号は、ＳＷ部１２０によって運用電源１０−１が予備電源１１に切り替えられた後、所定の電圧に収束された第２の電圧Ｖｉｎ２よりも第１の電圧Ｖｉｎ１が上昇する第２のタイミングを示す。
【００２８】
ダイオードＤ３は、キャパシタＣ１に接続される。ダイオードＤ３は、運用電源１０−１の電圧Ｖ１が供給されなくなった場合に、予備電源１１の電圧から得られる所定の電圧に向けて第２の電圧Ｖｉｎ２を収束させる。例えば、図２において、ダイオードＤ３の一端は、キャパシタＣ１に接続され、ダイオードＤ３の他端は、運用電源１０−１及び予備電源１１に直列に接続された抵抗Ｒ１２，Ｒ１３に接続されている。抵抗Ｒ１２，Ｒ１３は、それぞれ、１００ｋΩ，１８０ｋΩである。運用電源１０−１の電圧Ｖ１は、−４８Ｖであり、予備電源１１の電圧Ｖ２は、−４８Ｖである。この場合、ダイオードＤ３は、運用電源１０−１の電圧Ｖ１が供給されなくなった場合に、予備電源１１の電圧Ｖ２を用いて−４８×１００／（１００＋１８０）により求められる電圧である−１７Ｖに向けて第２の電圧Ｖｉｎ２を収束させる。
【００２９】
また、図２に示すように、ＳＷ部１２０は、トランジスタＴＲ１と、トランジスタＴＲ２と、トランジスタＴＲ３とを有する。
【００３０】
トランジスタＴＲ１は、ダイオードＤ４を介して判定部１１０の比較器ＩＣ１の出力端に接続されるバイポーラトランジスタである。トランジスタＴＲ１は、比較器ＩＣ１から出力される出力信号に応じてトランジスタＴＲ２及びトランジスタＴＲ３のＯＮ／ＯＦＦを制御することによって、運用電源１０−１と予備電源１１との切り替えを行う。例えば、図２に示した構成において、比較器ＩＣ１からの出力信号として、運用電源１０−１の電圧Ｖ１を有する第１の信号が出力される場合を想定する。この場合、トランジスタＴＲ１のベースに対して、運用電源１０−１の電圧Ｖ１が印加され、トランジスタＴＲ１のエミッタに対して、運用電源１０−１の電圧Ｖ１が印加される。すると、トランジスタＴＲ１は、自身をＯＦＦに切り替えることによって、トランジスタＴＲ２をＯＮに設定するとともに、トランジスタＴＲ３をＯＦＦに設定する。すると、トランジスタＴＲ２を介して運用電源１０−１から負荷１３０へ運用電源１０−１の電圧Ｖ１が印加される。なお、負荷１３０は、図１に示した基地局装置２０−１に相当する。
【００３１】
また、例えば、図２に示した構成において、比較器ＩＣ１からの出力信号として、接地電圧ＣＧを有する第２の信号が出力される場合を想定する。この場合、トランジスタＴＲ１のベースに対して、予備電源１１の電圧Ｖ２から得られる−２１Ｖが印加され、トランジスタＴＲ１のエミッタに対して、予備電源１１の電圧Ｖ２から−４８Ｖが印加される。すると、トランジスタＴＲ１は、自身をＯＮに切り替えることによって、トランジスタＴＲ２をＯＦＦに設定するとともに、トランジスタＴＲ３をＯＮに設定する。すると、トランジスタＴＲ３を介して予備電源１１から負荷１３０へ予備電源１１の電圧Ｖ２が印加される。つまり、ＳＷ部１２０は、トランジスタＴＲ１、トランジスタＴＲ２及びトランジスタＴＲ３を協働させることによって、判定部１１０によって判定された第１のタイミングで運用電源１０−１を予備電源１１に切り替える。
【００３２】
さらに、トランジスタＴＲ１は、予備電源１１への切り換えが行われた場合には、その旨を示す信号を電源制御装置１００−１以外の他の電源制御装置１００へ出力する。具体的には、トランジスタＴＲ１は、予備電源１１への切り換えが行われた旨を示す信号として、トランジスタＴＲ１のコレクタの電圧Ｖｏｕｔ２を有する信号を電源制御装置１００−２〜１００−ｎへ出力する。ここで、予備電源１１への切り換えに伴って、トランジスタＴＲ１のコレクタの電圧Ｖｏｕｔ２が−２１Ｖから−４８Ｖに変化する場合を想定する。この場合、トランジスタＴＲ１は、予備電源１１への切り換えが行われた旨を示す信号として、電圧Ｖｔｏｕｔ＝−４８Ｖの信号を電源制御装置１００−２〜１００−ｎへ出力する。
【００３３】
なお、電源制御装置１００−１が、予備電源１１への切り換えが行われた旨を示す信号として、−４８Ｖの信号を他の電源制御装置から受信した場合には、トランジスタＴＲ１のベースに対して、電圧Ｖｔｉｎ＝−４８Ｖが印加される。一方、トランジスタＴＲ１のエミッタには、運用電源１０−１の電圧Ｖ１＝−４８Ｖが印加される。すると、トランジスタＴＲ１は、自身をＯＦＦに切り替えることによって、トランジスタＴＲ２をＯＮに設定するとともに、トランジスタＴＲ３をＯＦＦに設定する。その結果、判定部１１０の比較器からの出力信号として、接地電圧ＣＧを有する第２の信号が出力される場合であっても、トランジスタＴＲ２を介して運用電源１０−１から負荷１３０へ運用電源１０−１の電圧Ｖ１が印加される。つまり、ＳＷ部１２０は、他の電源制御装置から予備電源１１への切り換えが行われた旨を示す信号が入力される場合には、判定部１１０によって第１のタイミングが判定された場合であっても、運用電源１０−１から予備電源１１への切り換えを中止する。
【００３４】
トランジスタＴＲ２は、電界効果トランジスタであり、トランジスタＴＲ１によってＯＮに設定された場合に、運用電源１０−１の電圧Ｖ１を負荷１３０へ印加する。
【００３５】
トランジスタＴＲ３は、電界効果トランジスタであり、トランジスタＴＲ１によってＯＮに設定された場合に、予備電源１１の電圧Ｖ２を負荷１３０へ印加する。
【００３６】
次に、図３〜図５を用いて、本実施例に係る電源制御装置１００による電源切替処理の処理手順を説明する。図３は、運用電源の停電時における電源制御装置の各部の電圧値を示すタイムチャートである。図４は、運用電源の復旧時における電源制御装置の各部の電圧値を示すタイムチャートである。図５は、図３に示した各時点における電源制御装置の各部の電圧値及びトランジスタの状態を説明するための図である。図３〜図５において、「Ｖｉｎ１」は、第１の分圧回路１１１によって生成される第１の電圧Ｖｉｎ１を示し、「Ｖｉｎ２」は、キャパシタＣ１によって生成される第２の電圧Ｖｉｎ２を示し、「Ｖ１（１０−１）」は、運用電源１０−１の電圧Ｖ１を示す。また、図５において、「Ｖ１（１０−２）」は、運用電源１０−２の電圧Ｖ１を示し、「Ｖｏｕｔ１」は、比較器ＩＣ１の出力端の電圧Ｖｏｕｔ１を示し、「Ｖｏｕｔ２」は、トランジスタＴＲ１のコレクタの電圧Ｖｏｕｔ２を示す。また、図５において、「Ｖｔｉｎ」は、トランジスタＴＲ１のベースに対して他の電源制御装置１００から印加される電圧Ｖｔｉｎを示す。また、「Ｖｔｏｕｔ」は、トランジスタＴＲ１から他の電源制御装置１００へ出力される信号の電圧Ｖｔｏｕｔを示す。また、図３〜図５の説明では、電圧は、接地電圧ＣＧ＝０Ｖに近いほど、低くなるものとする。
【００３７】
まず、運用電源１０−１の停電時における電源制御装置１００−１による電源切替処理を説明する。図３及び図５に示すように、運用電源１０−１が停電した場合に、運用電源１０−１の電圧Ｖ１は、０Ｖに向けて低下し始める。すると、運用電源１０−１の電圧Ｖ１に応じて第１の電圧Ｖｉｎ１及び第２の電圧Ｖｉｎ２が共に低下する。ただし、第２の電圧Ｖｉｎ２の変動速度は、第１の電圧Ｖｉｎ１の変動速度よりも遅い。
【００３８】
第１の電圧Ｖｉｎ１は、運用電源１０−１が停電してから時間Ｔ１が経過した時点で、第２の電圧Ｖｉｎ２よりも低下する。このため、判定部１１０の比較器ＩＣ１は、第１のタイミングを示す信号として、接地電圧ＣＧを有する信号を出力する。すなわち、運用電源１０−１が停電してから時間Ｔ１が経過した時点で、比較器ＩＣ１の出力端の電圧Ｖｏｕｔ１は、接地電圧ＣＧの電圧である０Ｖとなる。すると、ＳＷ部１２０のトランジスタＴＲ１のベースに対して、予備電源１１の電圧Ｖ２から得られる−２１Ｖが印加され、トランジスタＴＲ１のエミッタに対して、予備電源１１の電圧Ｖ２から−４８Ｖが印加される。すると、トランジスタＴＲ１は、自身をＯＮに切り替えることによって、トランジスタＴＲ２をＯＦＦに設定するとともに、トランジスタＴＲ３をＯＮに設定する。すると、トランジスタＴＲ３を介して予備電源１１から負荷１３０へ予備電源１１の電圧Ｖ２が印加される。つまり、ＳＷ部１２０は、トランジスタＴＲ１、トランジスタＴＲ２及びトランジスタＴＲ３を協働させることによって、判定部１１０によって判定された第１のタイミングで運用電源１０−１を予備電源１１に切り替える。
【００３９】
また、トランジスタＴＲ１のコレクタの電圧Ｖｏｕｔ２は、運用電源１０−１が停電してから時間Ｔ１が経過した時点で、−２１Ｖから−４８Ｖに変化する。この場合、トランジスタＴＲ１は、予備電源１１への切り換えが行われた旨を示す信号として、電圧Ｖｔｏｕｔ＝−４８Ｖの信号を電源制御装置１００−２〜１００−ｎへ出力する。このため、電源制御装置１００−２〜１００−ｎのトランジスタＴＲ１のベースに対して、電圧Ｖｔｉｎ＝−４８Ｖが印加される。
【００４０】
運用電源１０−１の電圧Ｖ１及び第１の電圧Ｖｉｎ１は、運用電源１０−１が停電してから時間Ｔ２が経過した時点で、接地電圧ＣＧ＝０Ｖとなる。一方で、ダイオードＤ３は、運用電源１０−１の電圧Ｖ１が供給されなくなった場合に、予備電源１１の電圧Ｖ２から得られる−１７Ｖに向けて第２の電圧Ｖｉｎ２を収束させる。このため、運用電源１０−１の電圧が供給されなくなった場合であっても、第２の電圧Ｖｉｎ２は、０Ｖにはならない。
【００４１】
ここで、運用電源１０−１が停電してから時間Ｔ３が経過した時点で、運用電源１０−２が停電したものとする。この時点で、電源制御装置１００−２のトランジスタＴＲ１のベースに対して、電圧Ｖｔｉｎ＝−４８Ｖが印加されている。一方、電源制御装置１００−２のトランジスタＴＲ１のエミッタには、予備電源１１の電圧Ｖ２＝−４８Ｖが印加されている。すると、電源制御装置１００−２のトランジスタＴＲ１は、自身をＯＦＦに切り替えることによって、トランジスタＴＲ２をＯＮに設定するとともに、トランジスタＴＲ３をＯＦＦに設定する。その結果、判定部１１０の比較器からの出力信号として、接地電圧ＣＧを有する第２の信号が出力される場合であっても、トランジスタＴＲ２を介して運用電源１０−２から負荷１３０へ運用電源１０−２の電圧Ｖ１が印加される。つまり、電源制御装置１００−２のＳＷ部１２０は、他の電源制御装置から予備電源１１への切り換えが行われた旨を示す信号が入力される場合には、運用電源１０−２から予備電源１１への切り換えを中止する。
【００４２】
続いて、運用電源１０−１の復旧時における電源制御装置１００−１による電源切替処理を説明する。図４に示すように、運用電源１０−１が復旧した場合に、運用電源１０−１の電圧Ｖ１は、０Ｖから上昇し始める。すると、運用電源１０−１の電圧Ｖ１に応じて第１の電圧Ｖｉｎ１及び第２の電圧Ｖｉｎ２が共に上昇する。ただし、第２の電圧Ｖｉｎ２の変動速度は、第１の電圧Ｖｉｎ１の変動速度よりも遅い。
【００４３】
第１の電圧Ｖｉｎ１は、運用電源１０−１が復旧してから時間Ｔ５が経過した時点で、第２の電圧Ｖｉｎ２よりも上昇する。このため、判定部１１０の比較器ＩＣ１は、第２のタイミングを示す信号として、運用電源１０−１の電圧Ｖ１を有する信号を出力する。すなわち、運用電源１０−１が復旧してから時間Ｔ５が経過した時点で、比較器ＩＣ１の出力端の電圧Ｖｏｕｔ１は、運用電源１０−１の電圧Ｖ１となる。すると、トランジスタＴＲ１のベースに対して、運用電源１０−１の電圧Ｖ１が印加され、トランジスタＴＲ１のエミッタに対して、運用電源１０−１の電圧Ｖ１が印加される。すると、トランジスタＴＲ１は、自身をＯＦＦに切り替えることによって、トランジスタＴＲ２をＯＮに設定するとともに、トランジスタＴＲ３をＯＦＦに設定する。すると、トランジスタＴＲ２を介して運用電源１０−１から負荷１３０へ運用電源１０−１の電圧Ｖ１が印加される。つまり、判定部１２０は、トランジスタＴＲ１、トランジスタＴＲ２及びトランジスタＴＲ３を協働させることによって、判定部１１０によって判定された第２のタイミングで予備電源１１を運用電源１０−１に切り替える。
【００４４】
運用電源１０−１の電圧Ｖ１は、運用電源１０−１が復旧してから時間Ｔ６が経過した時点で、−４８Ｖまで上昇する。第１の電圧Ｖｉｎ１は、運用電源１０−１が復旧してから時間Ｔ６が経過した時点で、−２４Ｖまで上昇する。第２の電圧Ｖｉｎ２は、運用電源１０−１が復旧してから時間Ｔ６が経過した時点で、−２２Ｖまで上昇する。
【００４５】
上述したように、本実施例の電源制御装置１００は、運用電源１０の電圧Ｖ１に応じて変動する第１の電圧Ｖｉｎ１と、運用電源１０の電圧Ｖ１に応じて第１の電圧Ｖｉｎ１よりも遅い変動速度で変動する第２の電圧Ｖｉｎ２とを比較する。そして、電源制御装置１００は、第１の電圧Ｖｉｎ１が第２の電圧Ｖｉｎ２よりも低下する第１のタイミングで運用電源１０を予備電源１１に切り替える。
【００４６】
このため、本実施例によれば、運用電源１０の停電時に、運用電源１０の電圧Ｖ１と、予備電源１１の電圧Ｖ２との差を抑制した状態で、運用電源１０から予備電源１１への切り替えを行うことができる。したがって、運用電源１０の電圧Ｖ１と、予備電源１１の電圧Ｖ２との差に起因して発生する、運用電源１０から予備電源１１へ向かう突入電流を抑制可能である。結果として、本実施例によれば、運用電源１０の停電時に、運用電源１０の電圧の低下に起因した瞬断を発生させることなく予備電源１１への切り替えを行うことができる。
【００４７】
また、本実施例の電源制御装置１００は、運用電源１０が予備電源１１へ切り替えられた後、所定の電圧に収束された第２の電圧Ｖｉｎ２よりも第１の電圧Ｖｉｎ１が上昇する第２のタイミングで予備電源１１を運用電源１０へ切り替える。
【００４８】
このため、本実施例によれば、運用電源１０の復旧に伴って運用電源１０の電圧Ｖ１が上昇する場合に、予備電源１１から運用電源１０への切り換えを適切に行うことができる。
【００４９】
また、本実施例の電源制御装置１００は、第１の電圧Ｖｉｎ１が第２の電圧Ｖｉｎ２よりも低下する第１のタイミングで運用電源１０を予備電源１１に切り替え、さらに、予備電源１１への切り換えが行われた旨を示す信号を他の電源制御装置１００へ出力する。電源制御装置１００は、第１の電圧Ｖｉｎ１が第２の電圧Ｖｉｎ２よりも低下する第１のタイミングが到来した場合であっても、予備電源１１への切り換えが行われた旨を示す信号が他の電源制御装置１００から入力される場合には、運用電源１０から予備電源１１への切り換えを中止する。
【００５０】
このため、本実施例によれば、複数の運用電源１０のうちいずれか一つの運用電源１０が予備電源１１によりバックアップされた場合に、バックアップされた運用電源１０以外の他の運用電源１０から予備電源１１への切り換えを中止することができる。
【００５１】
（変形例）
なお、上記実施例では、電源制御装置１００を含む電源制御システム１が基地局装置２０−１〜２０−ｎに接続される例を示したが、開示の技術はこれに限られない。例えば、図６に示すように、電源制御システム１は、基地局装置２０の内部に設けられても良い。この場合、電源制御装置１００のＳＷ部１２０を介して運用電源１０又は予備電源１１から基地局装置２０内の種々のモジュールへ動作電力が供給される。なお、図６は、電源制御システムの変形例を示す図である。
【符号の説明】
【００５２】
１  電源制御システム
１０−１〜１０−ｎ  運用電源
１１  予備電源
２０−１〜２０−ｎ  基地局装置
１００−１〜１００−ｎ  電源制御装置
１１０  判定部
１１１  第１の分圧回路
１１２  第２の分圧回路
１２０  ＳＷ部
Ｃ１  キャパシタ
ＩＣ１  比較器
Ｄ３  ダイオード
ＴＲ１  トランジスタ
ＴＲ２  トランジスタ
ＴＲ３  トランジスタ
【図１】
2015220918.tif 000003
【図２】
2015220918.tif 000004
【図３】
2015220918.tif 000005
【図４】
2015220918.tif 000006
【図５】
2015220918.tif 000007
【図６】
2015220918.tif 000008